(57)【特許請求の範囲】
【請求項１】
炊飯材料を入れる鍋と、前記鍋を加熱する加熱手段と、複数のメニューから任意のメニューを選択する第１のキー入力手段と、前記第１のキー入力手段により選択されたメニューを開始する第２のキー入力手段と、所定のメニューを開始する第３のキー入力手段と、前記第１のキー入力手段により選択されたメニューを表示する第１の表示手段と、前記第２のキー入力手段により炊飯が行われていることを表示する第２の表示手段と、前記第１から第３のキー入力手段からの出力に応じて前記加熱手段と前記第１、第２の表示手段を駆動する制御手段を備えたジャー炊飯器。
【請求項２】
第３のキー入力手段により所定のメニューの炊飯が行われていることを表示する第３の表示手段を備え、制御手段は、第１から第３のキー入力手段からの出力に応じて前記加熱手段と前記第１から第３の表示手段を駆動してなる請求項１記載のジャー炊飯器。
【請求項３】
予約時刻設定モードを選択する第４のキー入力手段と、予約時刻設定モードあるいは予約待機モードであることを表示する第４の表示手段とを備え、制御手段は、予約待機モード時に第４の表示手段と、メニューが第１のキー入力手段により選択されたものである場合には第２の表示手段を駆動し、第３のキー入力手段で選択されたメニューである場合には第３の表示手段を駆動する請求項１または２記載のジャー炊飯器。
【発明の詳細な説明】
【０００１】
【発明の属する技術分野】
本発明は、一般家庭などで利用されるジャー炊飯器に関するものである。
【０００２】
【従来の技術】
従来例について、図７、図８を参照しながら説明する。
【０００３】
図７は従来のジャー炊飯器の構成を示しており、１は炊飯材料を入れる鍋、２は鍋１を加熱する加熱手段、３は複数のメニューから任意のメニューを選択する第１のキー入力手段、４は第１のキー入力手段３により選択されたメニューを開始する第２のキー入力手段、７は第１のキー入力手段３により選択されたメニューを表示する第１の表示手段、８は第２のキー入力手段４により炊飯が行われていることを表示する第２の表示手段、１１は第１のキー入力手段３および第２のキー入力手段４からの出力に応じて加熱手段２第１の表示手段７第２の表示手段８を駆動する制御手段である。
【０００４】
以上のように構成された従来のジャー炊飯器について、以下その動作について図８を参照して説明する。図８において、ステップ８０１で第１のキー入力手段３であるメニューキーを受け付けるとステップ８０２へ進みメニュー番号を１加算する。ステップ８０３でメニュー番号がメニュー数以上であればステップ８０４でメニューをメニュー番号０に戻す。すなわちメニューが白米時にメニューキーを受け付けると白米高速へ移り、白米高速時にメニューキーを受け付けるとおかゆへ移り、おかゆ時にメニューキーを受け付けると白米へ戻る。メニューキーを受け付ける毎にこの動作が行われる。メニューキーを受け付けていなければステップ８０５へ進み、第２のキー入力手段４である炊飯キーの入力をチェックする。炊飯キーの入力があればステップ８０６へ進み現在のメニュー番号のメニューによる炊飯を開始する処理を行う。すなわち、メニューが白米のときに炊飯キーを受け付けると白米コースの炊飯を開始し、メニューがおかゆのときに炊飯キーを受け付けるとおかゆコースの炊飯を開始する。
【０００５】
【発明が解決しようとする課題】
しかしながら上記のように構成された従来のジャー炊飯器では、使用者が任意のメニューを選択し炊飯を行う際に、メニューキーによるメニュー選択を行わなければならないという課題があった。
【０００６】
本発明は、上記課題を解決するためもので、使用者のメニュー選択の煩わしさを解消し、操作性を向上させることを目的とする。
【０００７】
【課題を解決するための手段】
上記課題を解決するために本発明は、所定のメニューの炊飯を開始する第３のキー入力手段を備えたものである。
【０００８】
【発明の実施の形態】
請求項１記載の発明は、炊飯材料を入れる鍋と、前記鍋を加熱する加熱手段と、複数のメニューから任意のメニューを選択する第１のキー入力手段と、前記第１のキー入力手段により選択されたメニューを開始する第２のキー入力手段と、所定のメニューを開始する第３のキー入力手段と、前記第１のキー入力手段により選択されたメニューを表示する第１の表示手段と、前記第２のキー入力手段により炊飯が行われていることを表示する第２の表示手段と、前記第１から第３のキー入力手段からの出力に応じて前記加熱手段と前記第１第２の表示手段を駆動するものであり、メニュー選択の煩わしさを解消し、操作性の向上という作用を有する。
【０００９】
請求項２記載の発明は、第３のキー入力手段により所定のメニューの炊飯が行われていることを表示する第３の表示手段を備えたものであり、第３のキー入力手段により炊飯が行われていることを認識できるという作用を有する。
【００１０】
請求項３記載の発明は、予約時刻設定モードを選択する第４のキー入力手段と、予約時刻設定モードあるいは予約待機モードであることを表示する第４の表示手段とを備え、制御手段は、予約待機モード時に第４の表示手段と、メニューが第１のキー入力手段により選択されたものである場合には第２の表示手段を駆動し、第３のキー入力手段で選択されたメニューである場合には第３の表示手段を駆動することにより、予約待機中に選択したメニューを認識できるという作用を有する。
【００１１】
【実施例】
次に、本発明の具体例を説明する。
【００１２】
（実施例１）
以下、本発明の第１の実施例について図１、図２を用いて説明する。図１において図７と同じ番号を付した箇所は、従来例で説明した構成部品と同じであるため、詳細は省略する。５は所定のメニューを開始する第３のキー入力手段であり、１２は第１キー入力手段３、第２キー入力手段４、及び第３キー入力手段５からの出力に応じて加熱手段２、第１の表示手段７、及び第２の表示手段８を駆動する制御手段である。
【００１３】
図２において、ステップ２０１で第１のキー入力手段３であるメニューキーの入力がなければステップ２０５へ進むが、メニューキーの入力があればステップ２０２へ進みメニュー番号を１加算する。ステップ２０３では、メニュー番号が第３のキー入力手段５により開始する所定のメニューであるおかゆのメニュー番号であるかの確認を行い、メニュー番号がおかゆのメニュー番号であればステップ２０２へ戻り、メニュー番号がおかゆのメニュー番号でなければステップ２０４へ進む。ステップ２０４でメニュー番号がメニュー数以上であればステップ２０５でメニューをメニュー番号０に戻す。すなわち、メニューが白米時にメニューキーを受け付けると白米高速へ移り、白米高速時にメニューキーを受け付けるとメニューはおかゆへ移るがステップ２０３によりステップ２０２へ進みもう一度メニュー番号を１加算しクリーニングになる。メニューがクリーニング時にメニューキーを受け付けるとメニュー番号がメニュー数以上になるためステップ２０５にてメニュー番号を０の白米へ戻す。
【００１４】
また、ステップ２０６では、第２のキー入力手段４である炊飯キーの入力がなければステップ２０８へ進み、炊飯キーの入力があればステップ２０７へ進み現在のメニュー番号のメニューによる炊飯を開始する処理を行う。ステップ２０８で第３のキー入力手段５であるおかゆキー入力があればステップ２０９でメニュー番号に所定のメニューであるおかゆのメニュー番号をセットし、ステップ２０７へ進みおかゆコースの炊飯を開始する。
【００１５】
なお、本実施例では、第３のキー入力手段５をおかゆキーとし、第３のキー入力手段５により開始する所定のメニューをおかゆとしたが、特におかゆでなくともよい。また、本実施例では第３のキー入力手段５をおかゆキーのみとし、第３のキー入力手段５により開始する所定のメニューをおかゆのみとしたが、第３のキー入力手段５は必ずしも単一のキーのみにより構成されていなくてもよく、また第３のキー入力手段５により開始する所定のメニューも必ずしも単一メニューでなくともよい。また、本実施例ではメニューキーにより選択できるメニューを白米と白米高速とクリーニングの３メニューとしたが、特にメニューは白米と白米高速とクリーニングでなくともよく、その数も３メニューでなくともよい。
【００１６】
（実施例２）
以下、本発明の第２の実施例について図３、図４を用いて説明する。図３において図７と同じ番号を付した箇所は、従来例で説明した構成部品と同じであるため、詳細は省略する。９は第３のキー入力手段５により所定のメニューで炊飯されていることを表示する第３の表示手段である。図４において、ステップ４０１で炊飯しているメニューが第３のキー入力手段５であるおかゆキーにより開始する所定のメニューであるおかゆであるならステップ４０２からステップ４０４の処理を行う。すなわち、第１の表示手段７であるＬＣＤによるメニュー表示は行わず、第２の表示手段８である炊飯ＬＥＤの点灯も行わない。第３の表示手段９であるおかゆＬＥＤは現在の炊飯メニューがおかゆであることを表示するために点灯させる。現在の炊飯メニューが所定のメニューであるおかゆでないならば、ステップ４０５からステップ４０７にて、第１の表示手段７で現在の炊飯メニューを表示し、第２の表示手段８である炊飯ＬＥＤの点灯させ、第３の表示手段９であるおかゆＬＥＤは消灯させる。
【００１７】
なお、本実施例では第１の表示手段をＬＣＤとしたが、第１の表示手段は特にＬＣＤでなくともよい。また、第２第３の表示手段を共にＬＥＤとしたが、第２第３の表示手段は特にＬＥＤでなくともよい。
【００１８】
（実施例３）
以下、本発明の第３の実施例について図５、図６を用いて説明する。図５において図７と同じ番号を付した箇所は、従来例で説明した構成部品と同じであるため、詳細は省略する。６は予約時刻設定モードを選択する第４のキー入力手段、１０は予約時刻設定モードあるいは予約待機モードであることを表示する第４の表示手段である。第１のキー入力手段３であるメニューキーで選択されているメニューが予約炊飯可能なメニューである白米の場合に、待機モード時に第４のキー入力手段６である予約キーを受け付けると予約時刻設定モードになる。このとき第２のキー入力手段４である炊飯キーを受け付けると白米での予約待機モードになり、第３のキー入力手段５であるおかゆキーを受け付けるとおかゆでの予約待機モードになる。
【００１９】
予約待機時の第１の表示手段７から第４の表示手段１０の各表示手段の動作は図６により説明される。図６において、ステップ６０１で予約待機時に選択されているメニューが第３のキー入力手段５であるおかゆキーにより選択される所定のメニューであるおかゆであるならステップ６０２からステップ６０４の処理を行う。すなわち、第１の表示手段７であるＬＣＤによるメニュー表示は行わず、第２の表示手段８である炊飯ＬＥＤの点灯も行わない。第３の表示手段９であるおかゆＬＥＤは選択されたメニューがおかゆであることを表示するために点灯させる。選択されたメニューが所定のメニューであるおかゆでないならば、ステップ６０５からステップ６０７にて、第１の表示手段７で白米を表示し、第２の表示手段８である炊飯ＬＥＤを点灯させ、第３の表示手段９であるおかゆＬＥＤは消灯させる。ステップ６０８では現在予約待機モードにあることを示すために第４の表示手段１０である予約ＬＥＤを点灯させる。
【００２０】
なお、本実施例では予約炊飯可能なメニューを白米とおかゆのみとしたが特に白米とおかゆだけでなくともよい。また、第１のキー入力手段３であるメニューキーで選択可能なメニューで予約炊飯可能なメニューが白米のみとしたが、特に白米のみでなくともよい。また、第４の表示手段をＬＥＤとしたが、第４の表示手段は特にＬＥＤでなくともよい。
【００２１】
【発明の効果】
以上のように、請求項１記載の発明によれば、所定のメニューの炊飯を開始する第３のキー入力手段を備えているため、所定のメニューの炊飯を行う際に毎回使用者が複数のメニューから任意のメニューを選択する第１のキー入力手段を操作し所定のメニューを選択する必要がない。したがって、使用者のメニュー選択の煩わしさを解消し、操作性を向上させることができる。
【００２２】
また、請求項２記載の発明によれば、第３のキー入力手段により所定のメニューでの炊飯が行われていることを表示する第３の表示手段を備えているため、所定のメニューで炊飯が行われていることを容易に認識することができる。
【００２３】
また、請求項３記載の発明によれば、予約待機モード時に第４の表示手段と、メニューが第１のキー入力手段により選択されたものである場合には第２の表示手段を駆動させ、第３のキー入力手段で選択されたメニューである場合には第３の表示手段を駆動させる。したがって、使用者が予約設定したメニューが第３のキー入力手段で選択されたメニューであるか否かを容易に認識することが可能となる。
【図面の簡単な説明】
【図１】本発明の第１の実施例におけるジャー炊飯器の機能ブロック図
【図２】同、ジャー炊飯器の動作を示すフローチャート
【図３】本発明の第２の実施例におけるジャー炊飯器の機能ブロック図
【図４】同、ジャー炊飯器の動作を示すフローチャート
【図５】本発明の第３の実施例におけるジャー炊飯器の機能ブロック図
【図６】同、ジャー炊飯器の動作を示すフローチャート
【図７】従来例におけるジャー炊飯器の機能ブロック図
【図８】同、ジャー炊飯器の動作を示すフローチャート
【符号の説明】
１  鍋
２  加熱手段
３  第１のキー入力手段
４  第２のキー入力手段
５  第３のキー入力手段
６  第４のキー入力手段
７  第１の表示手段
８  第２の表示手段
９  第３の表示手段
１０  第４の表示手段
１１  制御手段
１２  制御手段
【図１】
0003624731.tif 000002
【図２】
0003624731.tif 000003
【図３】
0003624731.tif 000004
【図４】
0003624731.tif 000005
【図５】
0003624731.tif 000006
【図６】
0003624731.tif 000007
【図７】
0003624731.tif 000008
【図８】
0003624731.tif 000009